(57)【要約】【目的】  防水パンに洗濯機の引出し台をセットする際、素早く且つ確実にセットすることができるなど、従来よりも格段に使い易い洗濯機の引出し台を提供できるようにする。【解決手段】  引出し台の台本体１に、防水パン４の前側に備える洗濯機の前脚を載置する台座４ａと係合する係合部たる切欠き部３を設ける。これにより、台本体１の切欠き部３を防水パン４の台座４ａに嵌めることで、該台本体１を素早く且つ確実にセットすることができる。【選択図】  図１
0003206022.tif 000002
【実用新案登録請求の範囲】
【請求項１】
洗濯機の引出し台において、該引出し台に、防水パンの前側に備える洗濯機の前脚を載置する台座または防水パンの隔壁に係合可能な係合部が設けられていることを特徴とする洗濯機の引出し台。
【請求項２】
上記係合部は、引出し台の下部から上方に向かって形成されている切欠き部であることを特徴する請求項１に記載の洗濯機の引出し台。
【請求項３】
上記係合部は、引出し台の長手方向の端部または引出し台の短手方向の側部に設けられている突出部であることを特徴とする請求項１に記載の洗濯機の引出し台。
【請求項４】
上記引出し台に、該引出し台上を進退移動可能な上記洗濯機の前脚を載せるためのスライダが設けられていることを特徴とする請求項１に記載の洗濯機の引出し台。
【請求項５】
上記スライダは、上記防水パンの前側に備える洗濯機の前脚が載置される左右の台座にそれぞれ対応させて上記引出し台がセットされた際、それぞれの引出し台のスライダどうしが、接続具によって接続可能に構成されていることを特徴とする請求項４に記載の洗濯機の引出し台。
【請求項６】
上記接続具に、ハンドル部が設けられていることを特徴とする請求項５に記載の洗濯機の引出し台。
【請求項７】
上記スライダに車輪が設けられており、該車輪は、自由回転または該スライダに設けられている駆動機構部によって回転するように構成されていることを特徴とする請求項４に記載の洗濯機の引出し台。
【請求項８】
上記スライダに、上記引出し台に設けられている歯部と歯合している歯車が設けられており、該歯車は、該スライダに設けられている駆動機構部によって回転するように構成されていることを特徴とする請求項４に記載の洗濯機の引出し台。
【請求項９】
上記スライダは、上記引出し台に設けられているスライダ移動機構部の作動により移動するようになっており、
該スライダ移動機構部は、
駆動手段によって回転するように構成されたねじ軸と、
該ねじ軸に螺合しているねじ体と、
から構成され、
上記ねじ体に、上記スライダが接続されることを特徴とする請求項４に記載の洗濯機の引出し台。
【請求項１０】
上記スライダは、上記引出し台に設けられたスライダ移動機構部の作動により移動するようになっており、
該スライダ移動機構部は、
駆動手段によって回転するように構成されたエンドレスベルトと、
該エンドレスベルトに固定された接続部材と、
から構成され、
上記接続部材に、上記スライダが接続されることを特徴とする請求項４に記載の洗濯機の引出し台。
【請求項１１】
上記スライダは、上記引出し台に設けられたスライダ移動機構部の作動により移動するようになっており、
該スライダ移動機構部は、
駆動手段によって回転するように構成されたロープ体を巻回したリールによって構成され、
上記ロープ体に、上記スライダが接続されることを特徴とする請求項４に記載の洗濯機の引出し台。
【請求項１２】
上記ロープ体が上記リールに巻き取られる際に、弾性エネルギを蓄積するように構成されている付勢手段が、上記スライダ移動機構部に設けられていることを特徴とする請求項１１に記載の洗濯機の引出し台。
【請求項１３】
上記スライダ移動機構部が独立したスライダ移動機構部装置であり、該スライダ移動機構部装置は、上記引出し台に装着し、あるいは上記引出し台の近傍に設置して使用可能に構成されていることを特徴とする請求項９〜１１のいずれかに記載の洗濯機の引出し台。
【請求項１４】
上記スライダに、前傾させた洗濯機を支持するための支持部材が設けられていることを特徴とする請求項４に記載の洗濯機の引出し台。
【請求項１５】
上記支持部材が受ける圧力の大きさに応じてスライダの制動状態が解除されるように構成されているスライダブレーキが、上記スライダに設けられていることを特徴とする請求項１４に記載の洗濯機の引出し台。
【請求項１６】
洗濯機の引出し台において、該引出し台に、防水パンの前側に備える洗濯機の前脚を載置する台座の高さに合わせて高さを調節するための台高調節部が設けられており、
該台高調節部は、
キャスタが設けられたキャスタベースと、
該キャスタベースを支持するベース支持台と、
から構成され、
上記キャスタベースは、上記ベース支持台によって支持される突出部が本体の両側にそれぞれ設けられ、且つ、それぞれの突出部は、上下方向の高さを異にして設けられており、
上記ベース支持台は、引出し台の幅方向の左右それぞれの内壁に、上下方向に適当な間隔をあけて複数段設けられ、且つ、上記左右の内壁で非対称に設けられていることを特徴とする洗濯機の引出し台。
【請求項１７】
洗濯機の引出し台において、該引出し台に、防水パンの前側に備える洗濯機の前脚を載置する台座の高さに合わせて高さを調節するための台高調節部が設けられており、
該台高調節部は、
キャスタが設けられたキャスタベースと、
上記引出し台に設けられた上記キャスタベースを支持するベース支持台と、
積重プレートと、
から構成され、
所望の枚数の上記積重プレートを、上記キャスタベースと上記ベース支持台との間にセットすることにより、引出し台の高さを調整することを特徴とする洗濯機の引出し台。
【請求項１８】
洗濯機の引出し台において、該引出し台に、防水パンの前側に備える洗濯機の前脚を載置する台座の高さに合わせて高さを調節するための台高調節部が設けられており、
該台高調節部は、
少なくとも２段に分割可能に構成された上記引出し台の上方部と下方部との間に、積重プレートを所望の枚数セットすることにより、引出し台の高さを調整することを特徴とする洗濯機の引出し台。
【請求項１９】
上記引出し台に、キャスタが設けられていることを特徴とする請求項１又は請求項１８に記載の洗濯機の引出し台。
【請求項２０】
上記引出し台は、該引出し台を上記防水パンの前側に備える洗濯機の前脚が載置される左右の台座にそれぞれ対応してセットされた際、それぞれの引出し台どうしが、接続具によって接続可能に構成されていることを特徴とする請求項１，１６，１７，１８のいずれかに記載の洗濯機の引出し台。
【考案の詳細な説明】
【技術分野】
【０００１】
本考案は、主に防水パンの上に設置されている洗濯機を、この防水パンの前側に引き出す際に使用する洗濯機の引出し台に関する。
【背景技術】
【０００２】
近年の集合住宅事情では、設備機器の設置用に充てるスペースを縮小し、その縮小分を室内空間の拡大用に充てる傾向にあって、設備機器の一つである洗濯機の設置スペースも縮小されている。これにより、洗濯機の設置スペースに設置されて階下への漏水を防止するための防水パンにおいても、縮小された洗濯機の設置スペースに対応するよう縮小されている。
【０００３】
上述のことから、防水パンに備えられている排水管内の臭気の逆流を防止するための排水トラップの配設位置も、この防水パンの四隅に設けられた洗濯機の脚を載せるための台座を避け、防水パンの中央付近に設けることが多くなった。
【０００４】
従って、防水パンの上に洗濯機が設置されると、排水トラップの位置が洗濯機のほぼ中央真下になり、該排水トラップの清掃や点検また交換をするとき、さらには、防水パン内の清掃や点検また交換をするときには、この防水パンの上から洗濯機を防水パンの前側に移動させてからでないと、上述のメンテナンスを確実に行うことができないといった問題が生じていた。
【０００５】
特に、重くて大きなドラム式の洗濯機が設置されていると、洗濯機の前面側を除き、この洗濯機の周囲三方は壁が迫った状態で囲まれ、そして、洗濯機と壁との間は広くても５ｃｍ程度の隙間しか空いていない場合もあることから、従来では、組み立て式のリフト装置を使用して、防水パンの上からドラム式の洗濯機を移動させていた。
【０００６】
しかしながら、被作業宅へのリフト装置の運び入れや作業場所での組み立て、そして作業終了後の分解や運び出しの手間を考慮すると、リフト装置を使用しての洗濯機の移動作業は非現実的であって、なにより集合住宅におけるメンテナンス作業は一棟まとめて実施するのが普通であり、また限られた予算の中で実施しなければならないことから作業人員や作業時間を増やすこともできず、このことから、作業に時間を要する防水パン関係のメンテナンス作業が実施できないことも多々あった。
【０００７】
この解決のため、本出願人は、防水パン上の洗濯機の周囲三方は壁が迫った状態で囲まれ、さらに、洗濯機と壁との間が２ｃｍ〜３ｃｍ程度の隙間しか空いていない場合でも、防水パンの上に設置されている重くて大きなドラム式の洗濯機を、１人乃至２人で容易に防水パンの前側に引き出すことができる洗濯機の引出し台を完成させた。これにより、防水パン関係のメンテナンス作業を容易に実施できるようになった。
【先行技術文献】
【特許文献】
【０００８】
【特許文献１】特開２００８−３６２６８号公報
【考案の概要】
【考案が解決しようとする課題】
【０００９】
本考案は、本出願人が完成させた洗濯機の引出し台を、従来に増して使い易くすることを目的とする。具体的には、引出し台を防水パンにセットする際、素早く且つ確実にセットすることができ、また、洗濯機を引き出す際、該洗濯機に与える振動を従来よりも格段に低減することができ、さらに、引出し台の高さを防水パンの台座に合わせる際、工具などを用いることなく簡単に合わせることができるようにする。
【課題を解決するための手段】
【００１０】
上述した課題を解決するために、本考案に係る洗濯機の引出し台は、該引出し台に、防水パンの前側に備える洗濯機の前脚を載置する台座、または、防水パンの隔壁に係合可能な係合部が設けられていることを特徴とする。
【００１１】
また、上記係合部は、引出し台の下部から上方に向かって形成されている切欠き部であることを特徴する。この切欠き部が、引出し台の台座の上部（上面）、および隔壁の上部（上面）の少なくとも一方に係合できるように構成されている。
【００１２】
また、上記係合部は、引出し台の長手方向の端部、または、引出し台の短手方向の側部に設けられている突出部であることを特徴とする。この突出部が、引出し台の台座の奥行方向の上縁から立ち下がる台座側壁、および隔壁の上縁から立ち下がる内側壁の少なくとも一方に係合できるように構成されている。
【００１３】
また、上記引出し台に、該引出し台上を進退移動可能な上記洗濯機の前脚を載せるためのスライダが設けられていることを特徴とする。
【００１４】
また、上記スライダは、上記防水パンの前側に備える洗濯機の前脚が載置される左右の台座にそれぞれ対応させて上記引出し台がセットされた際、それぞれの引出し台のスライダどうしが、接続具によって接続可能に構成されていることを特徴とする。
【００１５】
また、上記接続具に、ハンドル部が設けられていることを特徴とする。このハンドル部は、スライダを移動させる際に手で握る部分（把持部）となる。
【００１６】
また、上記スライダに車輪が設けられており、該車輪は、自由回転または該スライダに設けられている駆動機構部によって回転するように構成されていることを特徴とする。この車輪は、溝や突条などの案内手段によって移動方向を安定させたり、またレール上を走行させることによって移動方向を安定させるようにしてもよい。
【００１７】
また、上記スライダに、上記引出し台に設けられている歯部と歯合している歯車が設けられており、該歯車は、該スライダに設けられている駆動機構部によって回転するように構成されていることを特徴とする。
【００１８】
また、上記スライダは、上記引出し台に設けられているスライダ移動機構部の作動により移動するようになっており、該スライダ移動機構部は、駆動手段によって回転するように構成されたねじ軸と、該ねじ軸に螺合しているねじ体と、から構成され、上記ねじ体に、上記スライダが接続されることを特徴とする。ねじ体は、ボールねじを用いるのがよい。
【００１９】
また、上記スライダは、上記引出し台に設けられたスライダ移動機構部の作動により移動するようになっており、該スライダ移動機構部は、駆動手段によって回転するように構成されたエンドレスベルトと、該エンドレスベルトに固定された接続部材と、から構成され、上記接続部材に、上記スライダが接続されることを特徴とする。エンドレスベルトは、タイミングベルトやチェーンなどでもよい。
【００２０】
また、上記スライダは、上記引出し台に設けられたスライダ移動機構部の作動により移動するようになっており、該スライダ移動機構部は、駆動手段によって回転するように構成されたロープ体を巻回したリールによって構成され、上記ロープ体に、上記スライダが接続されることを特徴とする。ロープ体も特に限定するものではないが、柔軟で強度を有するものが望ましい。
【００２１】
また、上記ロープ体が上記リールに巻き取られる際に、弾性エネルギを蓄積するように構成されている付勢手段が、上記スライダ移動機構部に設けられていることを特徴とする。付勢手段としては、コイルばねやゼンマイばねがよい。
【００２２】
また、上記スライダ移動機構部が独立したスライダ移動機構部装置であり、該スライダ移動機構部装置は、上記引出し台に装着し、あるいは上記引出し台の近傍に設置して使用可能に構成されていることを特徴とする。引出し台は、着脱自在に装着できるようにしてもよい。
【００２３】
また、上記スライダに、前傾させた洗濯機を支持するための支持部材が設けられていることを特徴とする。
【００２４】
また、上記支持部材が受ける圧力の大きさに応じてスライダの制動状態が解除されるように構成されているスライダブレーキが、上記スライダに設けられていることを特徴とする。
【００２５】
また、上記引出し台に、キャスタが設けられていることを特徴とする。
【００２６】
また、洗濯機の引出し台において、該引出し台に、防水パンの前側に備える洗濯機の前脚を載置する台座の高さに合わせて高さを調節するための台高調節部が設けられており、該台高調節部は、キャスタが設けられたキャスタベースと、該キャスタベースを支持するベース支持台と、から構成され、上記キャスタベースは、上記ベース支持台によって支持される突出部が本体の両側にそれぞれ設けられ、且つ、それぞれの突出部は、上下方向の高さを異にして設けられており、上記ベース支持台は、引出し台の幅方向の左右それぞれの内壁に、上下方向に適当な間隔をあけて複数段設けられ、且つ、上記左右の内壁で非対称に設けられていることを特徴とする。
【００２７】
なお、上記キャスタベースのそれぞれの突出部と、上記引出し台の幅方向の左右それぞれの内壁に設置したベース支持台とは、キャスタベースの突出部がベース支持台によって支持されたとき、および、キャスタベースが左右を逆にしてベース支持台によって支持されたとき、の両状態のとき、該キャスタベースの本体が概ね水平になるようにする。
【００２８】
また、洗濯機の引出し台において、該引出し台に、防水パンの前側に備える洗濯機の前脚を載置する台座の高さに合わせて高さを調節するための台高調節部が設けられており、該台高調節部は、キャスタが設けられたキャスタベースと、上記引出し台に設けられた上記キャスタベースを支持するベース支持台と、積重プレートと、から構成され、所望の枚数の上記積重プレートを、上記キャスタベースと上記ベース支持台との間にセットすることにより、引出し台の高さを調整することを特徴とする。
【００２９】
また、洗濯機の引出し台において、該引出し台に、防水パンの前側に備える洗濯機の前脚を載置する台座の高さに合わせて高さを調節するための台高調節部が設けられており、該台高調節部は、少なくとも２段に分割可能に構成された上記引出し台の上方部と下方部との間に、積重プレートを所望の枚数セットすることにより、引出し台の高さを調整することを特徴とする。なお、引出し台には、取扱性を考慮すればキャスタを設けるのがよい。
【００３０】
また、上記引出し台は、上記防水パンの前側に備える洗濯機の前脚が載置される左右の台座にそれぞれ対応させて該引出し台がセットされた際、それぞれの引出し台どうしが、接続具によって接続可能に構成されていることを特徴とする。
【考案の効果】
【００３１】
本考案の洗濯機の引出し台によれば、本引出し台に有する係合部がしっかりと防水パンに係合するので、引出し台と防水パンとが安定的に接続される。これにより、引出し台を防水パンに素早く且つ確実にセットできて、引き続き行われる洗濯機の引出し作業を、安全に且つスムースに行うことができる。
【００３２】
また、引出し台の洗濯機の前脚を乗せるためのスライダが、本引出し台の上をスームスに移動できるので、洗濯機に与える振動を従来よりも格段に低減することができて、ドラム式洗濯機のウィークポイントであるドラム軸のずれなどの不具合を誘発させてしまうこともない。
【００３３】
さらに、引出し台の高さを防水パンの台座に合わせる際に、工具などを用いることなく簡単に合わせることができる。
【図面の簡単な説明】
【００３４】
【図１】本考案の一実施例を示す図。
【図２】本考案の一実施例を示す図。
【図３】本考案の一実施例を示す図。
【図４】本考案の一実施例を示す図。
【図５】本考案の一実施例を示す図。
【図６】本考案の一実施例を示す図。
【図７】本考案の一実施例を示す図。
【図８】本考案の一実施例を示す図。
【図９】本考案の一実施例を示す図。
【図１０】本考案の一実施例を示す図。
【図１１Ａ】本考案の一実施例を示す図。
【図１１Ｂ】本考案の一実施例を示す図。
【図１２】引出し台の台高調節機構部の実施例を示す図。
【図１３】台高調節機構部の作用を示す図。
【図１４】台高調節機構部のキャスタベースのセット過程の実施例を示す図。
【図１５】台高調節機構部のキャスタベースのセット過程の実施例を示す図。
【図１６】ベース支持台の実施例を示す図。
【図１７】引出し台の台高調節機構部の実施例を示す図。
【図１８】引出し台の台高調節機構部の実施例を示す図。
【図１９】引出し台どうしを接続している状態を示す図。
【図２０】接続具に設けたハンドル形状の実施例を示す図。
【図２１】引出し台による洗濯機の引出し台方法の実施例を示す図。
【考案を実施するための形態】
【００３５】
本考案に係る洗濯機の引出し台について、添付図面に示す具体例に基づいて以下に説明する。また、本実施例に示している引出し台は、該引出し台の上面に、洗濯機の前脚を載せるためのスライダを設けているものである。なお、スライダを使用して行う洗濯機の引き出しは、図１７に示している。
【００３６】
図２１により、スライダを使用して行う洗濯機の引き出し方法を簡単に説明する。先ず、図２１（ａ）のように、防水パン４の台座の上に置かれている洗濯機５０を、後脚５１を支点にして持ち上げた前脚５２の下にスライダ２を合わせて引出し台（台本体１）をセットし、次いで図２１（ｂ）のように、スライダ２の上に前脚５２を下すと共に、該前脚５２を支点にして後脚５１を持ち上げ、次いで図２１（ｃ）のように、前脚５２を支点にして後脚５１を持ち上げている洗濯機５０を支持しながら防水パン４の前側に引くと、スライダ２と共に洗濯機５０が引出し台（台本体１）の上に引き出される。なお、引出し台において、洗濯機５０を防水パン４の上から撤去する際に用いるものと、洗濯機５０を防水パン４の上方に嵩上げする際に用いるものとでは、引出し台の台本体１における長手方向の寸法が異なる場合があり、また、洗濯機５０の撤去用のものには、引出し台を移動させるためのキャスタが設けられている。図２１に示した引出し台（台本体１）は、洗濯機５０を防水パン４の上方に嵩上げする際に用いるものである。
【００３７】
図１の引出し台は、防水パンの前側に備える洗濯機の前脚を載置する台座と係合する係合部を設けているものである。
【００３８】
図１（ａ）は、本引出し台の台本体部分の形態を示しており、台本体１に、洗濯機の前脚を載せるためのスライダ２と、防水パンの台座と係合する係合部たる切欠き部３が設けられている。
【００３９】
図１（ｂ）は、本引出し台を防水パン４にセットした状態を示しており、台本体１の切欠き部３が、防水パン４の洗濯機の前脚を載せるための台座４ａに嵌っている。また、防水パン４は、図１（ｃ）におけるＡ−Ａ線断面図である。
【００４０】
図１（ｃ）は、防水パン４を示した斜視図であり、四隅には洗濯機の脚を載せるための台座が設けられ、中央には洗濯機からの排水を流すための排水トラップが設けられている。
【００４１】
図２の引出し台は、防水パンの前側に備える洗濯機の前脚を載置する台座と係合する係合部を設けているものである。
【００４２】
図２（ａ）は、本引出し台の台本体部分の形態を示しており、台本体１に、洗濯機の前脚を載せるためのスライダ２と、防水パンの台座と係合する係合部たる下向きの突出部５が設けられている。なお、突出部５は脱着自在にしてもよい。
【００４３】
図２（ｂ）は、本引出し台を防水パン４にセットした状態を示しており、台本体１の突出部５が、防水パン４の洗濯機の前脚を載せるための台座４ａの奥行方向側の上縁から立ち下がる側壁４ｂに係合している。また、防水パン４は、図１（ｃ）におけるＡ−Ａ線断面図である。
【００４４】
図３の引出し台は、防水パンの前側の隔壁と係合する係合部を設けているものである。また、本引出し台の底部には、引出し台の台高を調節するためのスクリュージャッキ２７を設けている。
【００４５】
図３（ａ）は、本引出し台の台本体部分の形態を示しており、台本体１に、洗濯機の前脚を載せるためのスライダ２と、防水パンの隔壁と係合する係合部たる突出部５が設けられている。なお、突出部５は脱着自在にしてもよい。
【００４６】
図３（ｂ）は、本引出し台を防水パン４にセットした状態を示しており、台本体１の突出部５が、防水パン４の前側の隔壁４ｃに係合している。また、防水パン４は、図１（ｃ）におけるＡ−Ａ線断面図である。
【００４７】
図１〜図３に示すように、引出し台（台本体１）と防水パン４とを係合できるようにしたことで、引出し台（台本体１）と防水パン４とが安定的に接続することができ、引き続き行われる洗濯機の引出し作業の際に、引出し台（台本体１）と防水パン４とが離れてしまうことがない。
【００４８】
図４の引出し台は、防水パン４の前側に備える、洗濯機の前脚が載置される左右の台座４ａにそれぞれ対応させて引出し台がセットされた際、それぞれの引出し台の台本体１のスライダ２どうしを接続できるようにしているものである。また、本図に示した接続具６には、所望の部位に単数や複数のハンドル６ａを設けている。ハンドル６ａの形態も特に限定するものではなく、例えば、接続具６の概ね中央部にハンドル６ａを設けた本実施例のＴ形のハンドルの他にも、図２０に示した形状などにしてもよい。図４（ａ）は、防水パン４にセットした引出し台（台本体１）を示す。図４（ｂ）は、図４（ａ）におけるＢ−Ｂ線断面図である。
【００４９】
また、本実施例に示した接続形態は、スライダ２に設けている通孔２ａに、接続具６の端部を挿入して接続するものである。勿論、本接続方法に限定されるものではなく、公知の方法によって接続できるようにすればよい。また、通孔２ａは、スライダ２の本体に直接形成したり、通孔２ａを形成した外部部材を取り付けるようにしてもよい。通孔２ａは穴でもよい。
【００５０】
上述の、それぞれの引出し台の台本体１のスライダ２どうしを接続できるようにしたことで、スライダ２上に前脚を載せた洗濯機を引いて該スライダ２を引出し台の台本体１上を移動させる際、それぞれのスライダ２の動きを安定させることができる。そして、接続具６にハンドル６ａを設けているものは、スライダ２の移動をより安定させることもでき、また、洗濯機を引き出すときや元に戻すときに力を印加することもできる。なお、ハンドル６ａが設けられている接続具６は、ハンドル６ａが該接続具６の軸心方向に回転可能にしておくのがよい。
【００５１】
図５の引出し台は、スライダ２に車輪７を設けているものである。本車輪７を自由回転させる場合は、図４に示したスライダ２に設置するのがよく、これにより、スライダ２を人の手によって移動させる際に、よりスムースに移動させることができる。
【００５２】
車輪７は、実施例は省略するが、溝や突条などの案内手段によって移動方向を安定させたり、またレール上を走行させることによって移動方向を安定させるようにしてもよい。
【００５３】
また、スライダ２の車輪７は、モータ８などからなる駆動機構部によって回転させ、スライダ２を自走できるようにしてもよく、そして、スライダ２を自走させる場合は、防水パン４の前側にセットした２基の引出し台（台本体１）のうちの一方のスライダ２だけを自走させる方がよい。
【００５４】
このように、スライダ２を自走できるようにすることで、洗濯機が載るスライダ２が一定の速度で移動するため、該スライダ２の動きがギクシャクしないので振動も無いに等しく、従って、ドラム式洗濯機のウィークポイントであるドラム軸のずれなどの不具合を誘発させてしまうこともない。
【００５５】
図６の引出し台は、引出し台の台本体１に板歯９を設けると共に、スライダ２に、台本体１の板歯９に歯合するモータ８などからなる駆動機構部によって回転する歯車１０を設けているものである。歯車１０は、ピニオンギアやウォームギアを用いればよい。
【００５６】
そして、モータ８を作動させることで、洗濯機が載るスライダ２の歯車１０が回転して板歯９上を所定の方向に一定の速度で移動するため、該スライダ２の動きがギクシャクしないので振動も無いに等しく、従って、ドラム式洗濯機のウィークポイントであるドラム軸のずれなどの不具合を誘発させてしまうこともない。
【００５７】
図６（ａ）は、引出し台の平面図であり、板歯９を引出し台の台本体１の上面に設けているものである。
【００５８】
図６（ｂ）は、板歯９を引出し台の台本体１の上面に設けている図６（ａ）の構成の引出し台を、防水パン４にセットした状態を示している。
【００５９】
図６（ｃ）は、引出し台の側面図であり、板歯９を引出し台の台本体１の側面に設けているものである。
【００６０】
図７の引出し台は、モータ８などの駆動手段によって回転するねじ軸１１に、スライダ２が接続されるねじ体１２を螺合させているものである。ねじ体１２には、ボールねじを用いるのがよい。
【００６１】
そして、モータ８を作動させることで、回転するねじ軸１１によってスライダ２と接続されたねじ体１２が一定の速度で移動するので、スライダ２の動きがギクシャクしないため振動も無いに等しく、従って、ドラム式洗濯機のウィークポイントであるドラム軸のずれなどの不具合を誘発させてしまうこともない。
【００６２】
図７（ａ）は、引出し台の側面図であり、モータ８およびねじ体１２を螺合しているねじ軸１１を、引出し台の台本体１の側面に設けると共に、ねじ体１２とスライダ２とを接続しているものである。
【００６３】
図７（ｂ）は、モータ８およびねじ体１２を螺合しているねじ軸１１を、引出し台の台本体１の側面に設けている図７（ａ）の構成の引出し台を、防水パン４にセットした状態を示している。そして、ねじ体１２とスライダ２とを、固定用ねじ１３によって脱着可能に接続している。
【００６４】
図８の引出し台は、モータ８などの駆動手段によって回転するエンドレス（無端）ベルト１４に、スライダ２の接続される接続部材１７を固定しているものである。エンドレスベルト１４は、タイミングベルトを用いるのが望ましい。また、チェーンなどを用いてもよい。
【００６５】
そして、モータ８を作動させることで、所定の距離に架設したエンドレスベルト１４が回転すると共に、エンドレスベルト１４に固定された接続部材１７と接続されたスライダ２とが一定の速度で移動するので、スライダ２の動きがギクシャクしないため振動も無いに等しく、従って、ドラム式洗濯機のウィークポイントであるドラム軸のずれなどの不具合を誘発させてしまうこともない。
【００６６】
図８（ａ）は、引出し台の側面図であり、エンドレスベルト１４を掛けモータ８で駆動されるプーリ１５および追従して回転するプーリ１６を、引出し台の台本体１の側面に設けると共に、エンドレスベルト１４に固定された接続部材１７とスライダ２とを接続しているものである。モータ８は、引出し台の内部に設置してもよい。
【００６７】
図８（ｂ）は、エンドレスベルト１４を掛けモータ８で駆動されるプーリ１５および追従して回転するプーリ１６を、引出し台の台本体１の側面に設けている図８（ａ）の構成の引出し台を、防水パン４にセットした状態を示している。そして、接続部材１７とスライダ２とは、固定用ねじ１３によって脱着可能に接続している。
【００６８】
図９の引出し台は、モータ８などの駆動手段によって回転するリール１８に、スライダ２の接続されたロープ１９を巻回しているものである。ロープ１９は、柔軟で強度を有するものが望ましい。
【００６９】
また、実施例での図示は省略しているが、ロープ１９がリール１８に巻き取られる際に、ゼンマイばねなどの付勢手段に付勢力（弾性エネルギ）が蓄積されるように構成し、リール１８に巻き取られたロープ１９が、上記付勢力を解放することによって巻き取られる前の位置に戻ることができるようにしてもよい。
【００７０】
そして、モータ８を作動させることでリール１８が回転し、スライダ２と接続されたロープ１９が一定の速度で巻き取られていくので、スライダ２の動きがギクシャクしないため振動も無いに等しく、従って、ドラム式洗濯機のウィークポイントであるドラム軸のずれなどの不具合を誘発させてしまうこともない。
【００７１】
また、ロープ１９がリール１８に巻き取られる際に、ゼンマイばねなどの付勢手段に付勢力が蓄積されるように構成したものは、モータ８を作動させることでリール１８が回転し、スライダ２と接続されたロープ１９が一定の速度で巻き取られていくと共に、ゼンマイばねなどの付勢手段に付勢力が蓄積されるので、所定の作業の後にスライダ２を元の位置に戻す場合、付勢手段に蓄積された付勢力を解放することで、スライダ２をスムースに元の位置に戻すことができる。
【００７２】
図１０の引出し台は、スライダ移動機構部を独立したスライダ移動機構部装置２０として設けているもので、実施例に示すものは、スライダ移動機構部装置２０を、引出し台の台本体１の側面に着脱できるように構成しているものである。
【００７３】
また、スライダ移動機構部装置２０は、図７に示した引出し台であり、モータ８などの駆動手段によって回転するねじ軸１１に、スライダ２の接続されるねじ体１２を螺合させているものである。
【００７４】
スライダ移動機構部装置２０を引出し台の台本体１に装着するときは、スライダ移動機構部装置２０における移動機構部２０ａの係合片２０ｂを、引出し台の台本体１の側面の係合部１ａに係着させることで装着できるようにしている。そして、移動機構部２０ａを係着させた後に、ねじ体１２とスライダ２を固定用ねじ１３で接続する。
【００７５】
なお、引出し台は、図１０に示すように、台本体１およびスライダ２、そして接続具６を分けることができるように構成しているので、保管や携帯する際は場所をとることがない。
【００７６】
図１１の引出し台は、スライダ２に、前脚２１を支点に前傾させた洗濯機２２を支持するための支持部材２ｂを設けているものであり、洗濯機２２を手動で移動させる引出し台に適する。なお、スライダ２と引出し台の台本体１とは、公知の係合構造によってスライダ２と台本体１とが外れないようにしておくのがよい。
【００７７】
図１１Ａ（ａ）の上図は、スライダ２に支持部材２ｂを固定状態で設置したものである。この場合は、適当な弾性部材を用い、洗濯機２２が当接した際の衝撃を緩和また吸収できるようにするのがよい。
【００７８】
また、図１１Ａ（ａ）の下図は、上述したスライダ２と引出し台の台本体１とが外れないように構成した実施例の図（台本体１を矢印Ｃ側から示し見やすくするために拡大している図）であり、スライダ２に設置したローラ部２３を引出し台の台本体１の内壁２４に沿って移動可能に設ける。ローラ部２３の支持脚２３ａは、台本体１のスリット２５を通過している。
【００７９】
スライダ２と引出し台の台本体１とが外れないようにするための他の実施例としては、図１１Ａ（ｂ）のように、スライダ２の進退方向の両側の端部２ｈを、台本体１の側面の溝部１ｂに摺動自在に係合させる。あるいは、図１１Ａ（ｃ）のように、スライダ２の進退方向の両側の端部２ｈに設けた回転自在のローラ２６を、台本体１の側面の溝部１ｂに係合させる。なお、スライダ２の端部２ｈの形状また台本体１の溝部１の形状は、スライダ２や本体１を加工して設けてもよいが、加工された別部材を取り付けて設けてもよい。
【００８０】
図１１Ｂ（ｄ）は、スライダ２に支持部材２ｂを軸支し、該軸２ｃを支点に洗濯機２２の傾斜方向に回転可能に設置して、洗濯機２２の当圧力によって回転可動した支持部材２ｂを、移動規制部材２ｄによって適当な傾斜角度で停止させるようにしたものである。この場合は、弾性部材や発条部材などの弾性変形部材（本実施例での図示は省略）を用い、支持部材２ｂの回転が進行するにしたがい回転抵抗が増加するようにして衝撃を緩和また吸収できるようにするのがよい。
【００８１】
図１１Ｂ（ｅ）は、支持部材２ｂに掛かる洗濯機２２の重量の度合い（圧力の度合い）によってスライダ２の制動状態が解除されるスライダブレーキ２ｅを設けたものである。
【００８２】
図１１Ｂ（ｅ）の左図は、洗濯機２２が支持部材２ｂに当接していない状態で、支持部材２ｂは、ばね２ｆによってスライダブレーキ２ｅのブレーキシュー２ｇが引出し台の台本体１に当圧する方向に付勢されて、スライダ２にブレーキが掛かっている状態を示している。また、支持部材２ｂは、移動規制部材２ｄによって移動範囲が制限される。
【００８３】
図１１Ｂ（ｅ）の右図は、前傾した洗濯機（図示は省略）が支持部材２ｂに当接してこの支持部材２ｂを押圧している状態で、支持部材２ｂは、ばね２ｆの付勢力に抗して洗濯機の前傾方向に回転（傾斜）して、これによりスライダブレーキ２ｅのブレーキシュー２ｇの当圧力が低下（図では離れた状態に作図）し、ブレーキが解除された状態を示している。
【００８４】
ブレーキシュー２ｇを引出し台の台本体１に当圧させる構造や当圧力を低下させる構造は特に限定されるものではなく公知の構造を用いればよい。例えば、弾性部材や発条部材などの弾性変形部材を用いたり、あるいは、支持部材２ｂの応力を利用できるように該支持部材２ｂを取り付けるようにしてもよい。
【００８５】
また、スライダブレーキ２ｅのブレーキシュー２ｇが引出し台の台本体１から離れるタイミングは、例えば、スライダブレーキ２ｅのアーム状の本体をばね性を有する部材で形成し、このアーム状の本体部分の付勢力によってブレーキシュー２ｇを引出し台の台本体１に当圧させるようにし、アーム状の本体部分の付勢力を適宜調節することで、調節することができる。
【００８６】
上述したように、スライダ２を駆動機構部によって動作させる場合には、駆動機構部のＯＮ／ＯＦＦは、有線や無線で接続される手元スイッチで行うようにするのがよい。
【００８７】
本実施例に示したスライダ２は、進退方向の両側の端部２ｈを引出し台の台本体１の側面に回り込む形態にし、台本体１上から外れないようにしている。
【００８８】
また、スライダ２の上面は、防滑部材の設置や防滑処理（形状や薬剤等）を配しておくのがよく、下面は、摺動の際の摩擦を低減させる部材の設置や摩擦低減処理（形状や薬剤等）を配しておくのがよい。
【００８９】
上述した引出し台（図１〜図１１Ｂ）には、適宜キャスタを設けるのがよい（本実施例での図示は省略）。なお、キャスタの設置数は、引出し台を、洗濯機の前脚が載置される防水パンの前側左右の台座４ａにそれぞれ対応させてセットした際に、それぞれの引出し台どうしを接続具によって接続して用いるか否かによって決定され、接続して用いる形態であれば、引出し台の前寄りと後寄りとに少なくともそれぞれ１基ずつ設け、接続しないで用いる形態であれば、引出し台の前寄りと後寄りとに少なくともそれぞれ２基ずつ設け、引き出し台それぞれがキャスタによって自立できるようにする。この際、キャスタの形態は特に限定されるものではなく公知のものを用い、その種類としては、車輪の向きが自在に変えられる自在キャスタ（旋回キャスタ）、車輪の向きが固定の固定キャスタ、車輪の向きが自在と固定に切り替えられる自在固定切替キャスタ、ストッパ付きキャスタ、重量物用のキャスタなどが上げられ、これらを適宜選定して用いればよい。なお、キャスタは、着脱可能に設置してもよく、また、後述する台高調節構造などを用いて引出し台の台高を調節できるようにしてもよい。
【００９０】
図１２は、引出し台の台高調節部の実施例を示しており、本台高調節部は、図１２（ａ）の、キャスタ２８が設けられたキャスタベース２９と、図１２（ｂ）の、キャスタベース２９を支持するためのベース支持台３０とから構成されている。なお、台高調節部を設けている引出し台の実施例は、図１２（ｃ）に示す形態のものであり、従って、図１〜３に示したような、引出し台の台本体１に切欠き部３や突出部５（脱着自在のものは除く）を持たない形態の引出し台である。スライダ２は装備する。
【００９１】
キャスタベース２９の両側には、突出部２９ａ、２９ｂが高さを異にして設けられており、またベース支持台３０は、引出し台の台本体１の幅方向の左右それぞれの内壁１ｄ、１ｅに、上下方向に適当な間隔をあけて複数段が設置され、且つ、本設置の状態は、左右の内壁１ｄ、１ｅで非対称になっている。
【００９２】
キャスタベース２９の両側に設ける高さを異にする突出部２９ａ、２９ｂと、引出し台の台本体１の幅方向の左右それぞれの内壁１ｄ、１ｅに上下方向に適当な間隔をあけて複数段設置されるベース支持台３０との寸法的仕様は、市販の防水パン４の台座４ａの高さを考慮して決定すればよい。なお、引出し台の台本体１は、防水パン４の台座４ａと概ね同じ高さに調整できればよく、その後は、台座４ａ上にスペーサなどの調整板を置いて微調整する場合もある。
【００９３】
上述の台高調節部の作用を図１３にて説明する。例えば、引出し台の台本体１の高さを、防水パン４の台座４ａ（図示は省略）の高さに概ね合うように調節する場合を例にして説明する。図１３（ａ）に示した、キャスタベース２９の突出部２９ａ、２９ｂが、引出し台の台本体１の内壁１ｄ、１ｅに設けているベース支持台３０の支持台３０ｂと３０ｃ／３０ｆと３０ｇとの間にセットされた引出し台は、防水パン４の台座４ａよりも低くなり、このため、図１３（ｂ）に示すように、キャスタベース２９の突出部２９ａ、２９ｂを、ベース支持台３０の支持台３０ａと３０ｂ／３０ｅと３０ｆとの間にセットし直し、この引出し台を防水パン４の台座４ａに合わせるが、今度は防水パン４の台座４ａよりも高くなりすぎてしまい、このときは、図１３（ｃ）に示すように、キャスタベース２９を水平に１８０度回転させて、突出部２９ａ、２９ｂを支持台３０ｅと３０f／３０ｂと３０ｃとの間にセットし直すことで、防水パン４の台座４ａと概ね同じ高さに調整できる。なお、ベース支持台３０によって支持されるキャスタベース２９は、図１３（ａ）の場合も、水平に１８０度回転させてセットした図１３（ｃ）の場合でも、本体部分が水平になる。なお、キャスタベース２９の脱落を防止するための固定具を設けてもよい。該固定具の実施例としては、後段の図１４および図１５に、固定手段とする固定棒２９ｆを示している。
【００９４】
図１４および図１５に、キャスタベース２９をベース支持台３０にセットする過程の実施例を示す。なお、実施例のキャスタベース２９を側面から見る図では、図を見易くするため、キャスタベース２９に備えるキャスタ２８の図示は省略している。
【００９５】
図１４は、キャスタベース２９を引出し台の台本体１の下部１ｃ側からベース支持台３０にセットする過程を示しており、先ず、図１４（ａ）のように、キャスタベース２９の突出部２９ａａをベース支持台３０の切欠き部３０ｋに合わせる。これにより、キャスタベース２９の切欠き部２９ｃがベース支持台３０を避けて、図１４（ｂ）のように、キャスタベース２９をベース支持台３０の所望の段まで進入させることができる。次いで、キャスタベース２９をスライドさせ、キャスタベース２９の固定棒２９ｆをベース支持台３０の受け部３０ｉに挿入すれば、図１４（ｃ）のように、キャスタベース２９がベース支持台３０に固定される。なお、上述の説明を分かりやすくするため、図１４（ａ）には、キャスタベース２９の平面図も記している。
【００９６】
図１５は、キャスタベース２９を引出し台の台本体１の端面開口部側からベース支持台３０にセットする形態であり、キャスタベース２９を所望の段のベース支持台３０にセットすればよい。そして、キャスタベース２９の固定棒２９ｆをベース支持台３０の受け部３０ｉに挿入すれば、キャスタベース２９がベース支持台３０に固定される。
【００９７】
図１６は、ベース支持台の実施例で、引出し台の台本体１の内壁１ｄ、１ｅに後付する一体成型のベース支持台３０を示しており、図１６（ａ）は、引出し台の台本体１の内壁１ｄに設ける左側用および内壁１ｅに設ける右側用を示している。図１６（ｂ）は、引出し台の台本体１の内壁１ｄ、１ｅに同時に設置できるものである。なお、ベース支持台３０は、ねじや接着また嵌着など公知の固定技術を用いて取り付ければよい。
【００９８】
図１７は、引出し台の台高調節部の実施例を示しており、本台高調節部は、図１７（ａ）に示すように、キャスタ２８が設けられたキャスタベース２９と、高さ調節用の積重プレート２９ｄと、キャスタベース２９を支持するための引出し台の台本体１のベース支持台３０とから構成されている。一実施例においては、積重プレート２９ｄは、例えば、数ミリメートルから数センチメートルの厚さを有する。
【００９９】
図１７（ｂ）は、キャスタベース２９だけをベース支持台３０に支持させた状態で、図１７（ｃ）は、例えば２枚の積重プレート２９ｄをキャスタベース２９上にセットしてベース支持台３０に支持させた状態である。従って、引出し台の台本体１の台高は、図１７（ｂ）よりも図１７（ｃ）の方が高くなる。
【０１００】
また、キャスタベース２９の自由移動を制限する構造の実施例としては、図１７（ｄ）に示すように、案内柱３０ｊによってキャスタベース２９の移動を上下方向にのみ可能としたり、図１７（ｅ）に示すように、案内柱３０ｊにキャスタベース２９の切欠き部２９ｅを遊嵌し、キャスタベース２９の移動を上下方向にのみ可能とすればよい。なお、本実施例（図１７）では示していないが、キャスタベース２９が案内柱３０ｊの下方への脱落を防止するための落下防止具は適宜設けている。
【０１０１】
図１８は、引出し台の台高調節部の実施例を示しており、本台高調節部は、図１８（ａ）に示すように、スライダ２が配置される上方部１ｆとキャスタが設けられる下方部１ｇとの２段に分割可能な引出し台の台本体と、高さ調節用の積重プレート１ｈとから構成されている。一実施例においては、積重プレート１ｈは、例えば、数ミリメートルから数センチメートルの厚さを有する。
【０１０２】
図１８（ｂ）は、上方部１ｆと下方部１ｇとを合わせた引出し台の台本体の状態で、図１８（ｃ）は、例えば２枚の積重プレート１ｈを上方部１ｆと下方部１ｇとの間にセットさせている状態である。従って、引出し台の台本体の台高は、図１８（ｂ）よりも図１８（ｃ）の方が高くなる。
【０１０３】
図１９は、引出し台どうしを接続している状態を示しており、図１９（ａ）は、接続棒１ｉによって引出し台の台本体１どうしを接続した状態である。接続棒１ｉは着脱自在になっている。
【０１０４】
図１９（ｂ）は、接続棒１ｉにより引出し台の台本体１どうしを接続する前の状態であり、台本体１どうしの接続は、接続棒１ｉをそれぞれの台本体１の接続部１ｊに挿入し、固定ねじ１ｋを締め付けることで台本体１どうしを接続することができる。
【０１０５】
また、接続した引出し台の台本体１間を調節する場合は、台本体１の接続部１ｊに挿入している接続棒１ｉの挿入度合いを変えることにより、すなわち、図１９（ｃ）の左図に示すように、一方または両方の引出し台の台本体１を、接続棒１ｉ上を移動（接近方向／離間方向）させることで、引出し台の台本体１間を調節することができる。図１９（ｃ）の右図は、左図に示したそれぞれの台本体１を接近方向に移動させて、台本体１間を狭くした状態を示している。
【０１０６】
なお、本実施例に示しているように、２本（２本以上でもよい）の接続棒１ｉによって引出し台の台本体１どうしを接続しているが、引出し台の台本体１どうしをしっかりと接続できれば、接続棒1本で引出し台の台本体１どうしを接続してもよい。接続棒による引出し台の台本体１どうしの接続部は、概ね中央部部がよいが、勿論、この部分に限定するものではなく、接続棒の形状や接続形態によって所望の部分（引出し台の台本体１の端部寄りなど）にて接続すればよい。
【符号の説明】
【０１０７】
１…台本体
１ａ…係合部
１ｂ…溝部
１ｃ…下部
１ｄ…内壁
１ｅ…内壁
１ｆ…上方部
１ｇ…下方部
１ｈ…積重プレート
１ｉ…接続棒
１ｊ…接続部
１ｋ…固定ねじ
２…スライダ
２ａ…通孔
２ｂ…支持部材
２ｃ…軸
２ｄ…移動規制部材
２ｅ…スライダブレーキ
２ｆ…ばね
２ｇ…ブレーキシュー
２ｈ…端部
３…切欠き部
４…防水パン
４ａ…台座
４ｂ…側壁
４ｃ…隔壁
５…突出部
６…接続具
６ａ…ハンドル
７…車輪
８…モータ
９…板歯
１０…歯車
１１…ねじ軸
１２…ねじ体
１３…固定用ねじ
１４…エンドレスベルト
１５…プーリ
１６…プーリ
１７…接続部材
１８…リール
１９…ロープ
２０…スライダ移動機構部装置
２０ａ…移動機構部
２０ｂ…係合片
２１…前脚
２２…洗濯機
２２…前脚
２３…ローラ部
２３ａ…支持脚
２４…内壁
２５…スリット
２６…ローラ
２７…スクリュージャッキ
２８…キャスタ
２９…キャスタベース
２９ａ…突出部
２９ａａ…突出部
２９ｂ…突出部
２９ｃ…切欠き部
２９ｄ…積重プレート
２９ｅ…切欠き部
２９ｆ…固定棒
３０…支持台
３０ａ〜３０ｈ…支持台
３０ｉ…受け部
３０ｊ…案内柱
３０ｋ…切欠き部
５０…洗濯機
５１…後脚
５２…前脚
【図１】
0003206022.tif 000003
【図２】
0003206022.tif 000004
【図３】
0003206022.tif 000005
【図４】
0003206022.tif 000006
【図５】
0003206022.tif 000007
【図６】
0003206022.tif 000008
【図７】
0003206022.tif 000009
【図８】
0003206022.tif 000010
【図９】
0003206022.tif 000011
【図１０】
0003206022.tif 000012
【図１１Ａ】
0003206022.tif 000013
【図１１Ｂ】
0003206022.tif 000014
【図１２】
0003206022.tif 000015
【図１３】
0003206022.tif 000016
【図１４】
0003206022.tif 000017
【図１５】
0003206022.tif 000018
【図１６】
0003206022.tif 000019
【図１７】
0003206022.tif 000020
【図１８】
0003206022.tif 000021
【図１９】
0003206022.tif 000022
【図２０】
0003206022.tif 000023
【図２１】
0003206022.tif 000024